(57)【要約】      （修正有）【課題】被乾燥物が搬送管内に残存しても堆積しないようにし、管内を掃除する手間が掛らない乾燥機の搬送装置を提供する。【解決手段】搬送管１と乾燥室の間に作動ユニット４が設けられ、作動ユニット４は、連通口１５を開閉して、搬送キャビティ１０が乾燥室に連通される連通状態と乾燥室から閉塞される閉塞状態とにすることができるように、往復動可能に設けられたブロック部材４２と、ブロック部材４２を往復動可能に駆動するように設けられた駆動部材４１とを有する。【選択図】図４
0003195717.tif 000002
【実用新案登録請求の範囲】
【請求項１】
被乾燥物を搬送して乾燥するための乾燥室を有する乾燥機に用いられる搬送装置であって、
前記乾燥室の天井側に、前記被乾燥物を取り入れて前記乾燥室側に搬送する搬送キャビティを画成し、前記搬送キャビティの前記乾燥室側には、前記乾燥室と前記搬送キャビティとを連通する連通口を開設している搬送管と、
前記被乾燥物を前記搬送キャビティから前記乾燥室に搬送する方向である搬送方向に沿って長手状に延びるように前記搬送キャビティに設けられたスクリューシャフトと、
前記連通口を開閉して、前記搬送キャビティが前記乾燥室に連通される連通状態と前記乾燥室から閉塞される閉塞状態とにすることができるように、往復動可能に設けられたブロック部材と、前記ブロック部材を往復動可能に駆動するように設けられた駆動部材を有する作動ユニットと、を備えることを特徴とする乾燥機の搬送装置。
【請求項２】
前記ブロック部材は、前記連通口に対して開閉可能に前記搬送方向に沿って延びるキャップ部が形成され、前記キャップ部は、その前記搬送方向視での一側端部が前記搬送管に対して回動可能に枢支され、その前記キャップ部の前記搬送方向視での他側端部が前記連通口に接離されるように、揺動自在に設けられていることを特徴とする請求項１に記載の乾燥機の搬送装置。
【請求項３】
前記作動ユニットは、前記駆動部材によって駆動されて、前記キャップ部の前記他側端部を前記連通口に対して接離可能に往復動させるように、前記駆動部材及び前記キャップ部の前記他側端部と連結して設けられた可動部材を更に有することを特徴とする請求項２に記載の乾燥機の搬送装置。
【請求項４】
前記作動ユニットは、前記可動部材が前記ブロック部材に対して、前記連通口を閉じて前記閉塞状態になった場合における前記駆動部材から前記可動部材を介して前記キャップ部の前記他側端部に至る直線と、前記キャップ部の前記一側端部から前記キャップ部の前記他側端部に至る直線とによって挟まれた角度が鈍角となる配置をなすように、前記駆動部材を前記搬送管に固定するべく、前記搬送管と前記駆動部材との間に連結されているブラケット部材を更に有することを特徴とする請求項３に記載の乾燥機の搬送装置。
【請求項５】
前記搬送管は、前記搬送キャビティを画成するように設けられた管壁を有し、前記管壁は、前記被乾燥物を前記管壁から前記連通口を介して前記乾燥室に案内して搬入するように、前記連通口に向かって傾斜するガイド部を設けていることを特徴とする請求項１〜４のいずれか一項に記載の乾燥機の搬送装置。
【請求項６】
前記作動ユニットは、前記閉塞状態になった場合、前記ブロック部材と前記管壁における前記連通口を取り囲む周部との間に、前記連通口を気密に閉塞するパッド部材が更に設けられていることを特徴とする請求項５に記載の乾燥機の搬送装置。
【考案の詳細な説明】
【技術分野】
【０００１】
本考案は、籾や麦等の主要穀物を乾燥する乾燥機に用いられる搬送装置に関する。
【背景技術】
【０００２】
麦、稲等の穀物を、循環式管路を介して乾燥室に投入して所定の含水率になるまで乾燥する乾燥機は従来から用いられている。従来の乾燥機は、例えば穀物等の被乾燥物を貯留する貯留室、貯留室から被乾燥物を投入して乾燥する乾燥室、貯留室に連通するように連結された搬送管、被乾燥物を回転・推進して貯留室に移送するように搬送管内に設けられたスクリューシャフト、及び貯留室から乾燥室に被乾燥物を分散させる分散機構等を備え、スクリューシャフトによって回転されて貯留室に移送された被乾燥物が乾燥室に投入されながら、分散機構によって乾燥室に均一に分散されて乾燥される。
【考案の概要】
【考案が解決しようとする課題】
【０００３】
従来の乾燥機では、搬送管が概ね乾燥室の天井側に水平に設置され、スクリューシャフトが回転可能に搬送管内に設けられているので、被乾燥物は自身の重みによってスクリューシャフトの下側の搬送管の内周面に落下して堆積してしまう。そのため搬送管の内周面に堆積された被乾燥物をスクリューシャフトによって貯留室に推進できない問題点がある。また、被乾燥物は搬送管の内周面に堆積しまうと劣化・変質するが、堆積して高くなった被乾燥物がスクリューシャフトに当たると推進されて貯留室に移送されるので、乾燥された穀物等の品質を良好に保つことができない問題点もある。また、搬送管の内周面に堆積された被乾燥物を除去しなければならないが、搬送管は一般的には乾燥室の天井側に設けられているため、掃除するのに手間が掛る問題点もある。
【０００４】
本考案は、被乾燥物が搬送管内に残存しても堆積しないようにし、管内を掃除する手間が掛らない乾燥機の搬送装置を提供することを目的とする。
【課題を解決するための手段】
【０００５】
上記目的を達成するために、本考案に係る乾燥機の搬送装置は、被乾燥物を搬送して乾燥するための乾燥室を有する乾燥機に用いられるものであって、前記乾燥室の天井側に、前記被乾燥物を取り入れて前記乾燥室側に搬送する搬送キャビティを画成し、前記搬送キャビティの前記乾燥室側には、前記乾燥室と前記搬送キャビティとを連通する連通口を開設している搬送管と、前記被乾燥物を前記搬送キャビティから前記乾燥室に搬送する方向である搬送方向に沿って長手状に延びるように前記搬送キャビティに設けられたスクリューシャフトと、前記連通口を開閉して、前記搬送キャビティが前記乾燥室に連通される連通状態と前記乾燥室から閉塞される閉塞状態とにすることができるように、往復動可能に設けられたブロック部材と、前記ブロック部材を往復動可能に駆動するように設けられた駆動部材とを有する作動ユニットと、を備えていることを特徴とする。
【考案の効果】
【０００６】
本考案に係る乾燥機の搬送装置は、駆動部材の作動によってブロック部材が揺動されると、連通口が開閉する。連通口が開けられると、ブロック部材上に堆積された被乾燥物が連通口を介して乾燥室に落下する。これによって、被乾燥物が搬送管内に残存しても堆積しないようにすることができる。従って、搬送管内を掃除する手間が掛らずに済むと共に、乾燥品質が良好である乾燥物が得られる。
【図面の簡単な説明】
【０００７】
【図１】本考案に係る乾燥機の搬送装置の一実施の形態における乾燥機に取り付けられた状態を概略示す斜視図である。
【図２】搬送装置の構成を概略して示す側面図である。
【図３】図２におけるIII−III線に沿う断面図であり、作動ユニットによる閉塞状態を説明する図である。
【図４】作動ユニットによる連通状態を説明する図である。
【考案を実施するための形態】
【０００８】
以下、本考案に係る乾燥機の搬送装置の一実施の形態について、添付した図面を参照して説明する。
図１は、乾燥機に取り付けられた本考案に係る乾燥機の搬送装置の一実施の形態を概略して示す斜視図であり、図２は、搬送装置の構成を概略して示す側面図である。図中、１００は略直方体形状の乾燥機、５０は本考案に係る搬送装置によって被乾燥物を搬入する乾燥室、５は搬送装置からの被乾燥物を乾燥室に均一に分散する分散機構である。
図１と図２に示されているように本考案に係る搬送装置は、乾燥機１００の天井側に設けられて乾燥機１００内に被乾燥物を送り込む搬送管１と、搬送管１内に配置されているスクリューシャフト２と、搬送管１に連結して設けられた作動ユニット４とを備えている。
【０００９】
搬送管１は、乾燥室５０の天井側に、被乾燥物を取り入れて乾燥室５０側に搬送する搬送キャビティ１０を画成し、搬送キャビティ１０の乾燥室５０側には乾燥室５０と搬送キャビティ１０とを連通する連通口１５（図４参照）を開設している。搬送管１は、搬送キャビティ１０を画成するように設けられた管壁１１を有する。管壁１１は、被乾燥物を管壁１１から連通口１５を介して乾燥室５０に案内して搬入するように、連通口１５に向かって下方へ傾斜するガイド部１６を設けている。図３に示されているようにガイド部１６が、管壁１１の下部１３に対して管内に傾いて設けられていることによって、管壁１１内の下部に落とされる被乾燥物を順調に外部（乾燥室５０）に案内して排出することができる。
【００１０】
スクリューシャフト２は、自身の軸心のまわりに回転するように、被乾燥物を搬送キャビティ１０から乾燥室５０に搬送する方向である搬送方向に沿って、長手方向に延びるように搬送キャビティ１０に設けられている。なお、図１等に示されているように搬送管１の末端側に、スクリューシャフト２によって移送された被乾燥物を貯留する貯留室６０を設けている。貯留室６０は図示のように、搬送管１の管壁１１の末端側に画成されており、乾燥室５０との間に、被乾燥物を落下させる通し口１２が設けられている。
【００１１】
スクリューシャフト２は、概ね搬送方向に延びた軸部２１と、軸部２１に螺旋状に取り付けられたブレード２２とから構成され、ブレード２２が軸部２１と共回転可能に駆動機構３によって駆動されると、被乾燥物が軸部２１の周方向に掻き揚げられながら貯留室６０に送られる。そして、貯留室６０に移送されてきた被乾燥物は通し口１２を介して、分散機構５によって分散されながら乾燥室５０に落下する。
【００１２】
作動ユニット４は、連通口１５（図４）を開閉して、搬送キャビティ１０が乾燥室５０に連通される連通状態と乾燥室５０から閉塞される閉塞状態とにすることができるように、往復動可能に設けられたブロック部材４２と、ブロック部材４２を往復動可能に駆動するように設けられた駆動部材４１とを有する。
ブロック部材４２は、連通口１５に対して開閉可能に搬送方向に沿って延びるキャップ部４２３が形成される。キャップ部４２３は、その搬送方向視での一側端部４２１が搬送管１に対して回動可能に枢支され、そのキャップ部４２３の搬送方向視での他側端部４２２が連通口１５に接離されるように、揺動自在に設けられている。
また、この実施の形態では、ブロック部材４２は、閉塞状態になった場合、ブロック部材４２と管壁１１における連通口１５を取り囲む周部との間に、連通口１５を弾性的に押さえて気密に閉塞する例えば可撓性を有するパッド部材４２４が更に設けられている。
【００１３】
作動ユニット４は、駆動部材４１によって駆動されて、キャップ部４２３の他側端部４２２を連通口１５に対して接離可能に往復動させるように、駆動部材４１及びキャップ部４２３の他側端部４２２と連結して設けられた可動部材４３を更に有する。なお、可動部材４３としては、例えば棒状等の直線状部材が用いられる。
また、作動ユニット４は、可動部材４３がブロック部材４２に対して、連通口１５を閉じて閉塞状態になった場合における駆動部材４１から可動部材４３を介してキャップ部４２３の他側端部４２２に至る直線と、キャップ部４２３の一側端部４２１からキャップ部４２３の他側端部４２２に至る直線とによって挟まれた角度が鈍角θとなる配置をなすように、駆動部材４１を搬送管１に固定するべく、搬送管１と駆動部材４１との間に連結されているブラケット部材４４を更に有する。
【００１４】
従って、可動部材４３を介して駆動部材４１とブロック部材４２との挟角が鈍角になる配置にすることによって、駆動部材４１によって往復動されるキャップ部４２３が連通口１５から遠く離れるように移動されることができる。これにより搬送キャビティ１０におけるキャップ部４２３の上側に落ちた被乾燥物を、完全に乾燥室５０側に落下させることができる。
【００１５】
次に、上記のように構成された搬送装置の動作及び作用を図３と図４に基づいて説明する。
駆動機構３が作動してスクリューシャフト２が回転されると、軸部２１と共回転されるブレード２２によって被乾燥物が軸部２１の周方向に掻き揚げられながら貯留室６０に送られる。そして、通し口１２が開けられると、貯留室６０に移送されてきた被乾燥物が、通し口１２を介して分散機構５によって分散しながら乾燥室５０に落下する。
【００１６】
そして、被乾燥物がスクリューシャフト２によって搬送されて自身の重みによってスクリューシャフト２の下側の搬送管１の内周面に落下して堆積したとき、電子制御システム（図示せず）による制御によって駆動部材４１を作動させる。駆動部材４１によって可動部材４３が往復動すると、ブロック部材４２が動かされる。これによりブロック部材４２の一側端部４２１を中心として他側端部４２２が押動されると、キャップ部４２３が連通口１５に対して接離される。キャップ部４２３が連通口１５から離れると、連通口１５が開けられて搬送キャビティ１０と乾燥室５０が連通される連通状態になる。連通状態では、キャップ部４２３上に落とされた被乾燥物が、管壁１１のガイド部１６によって案内されながら、乾燥室５０に落下される。キャップ部４２３上に落とされた被乾燥物が完全に乾燥室５０に落下されると、駆動部材４１の作動によって可動部材４３が往復動されてキャップ部４２３が連通口１５側に動かされて連通口１５が閉じられる閉塞状態になる。
【００１７】
なお、作動ユニット４は、搬送管１の内周面に堆積された被乾燥物の清掃機構として用いられるため、搬送管１の長さに応じて設けられればよく、その設置数は制限されない。また、連通口１５は、乾燥室５０の大きさと搬送管１の長さに応じて設けられればよく、その設置数は制限されない。また、作動ユニット４の設置数に応じて複数の連通口１５を設けることができるが、搬送方向に沿って長く延伸された連通口１５がキャップ部４２３によって開閉可能に設けられてもよいので、そのサイズや数も制限されない。
【００１８】
以上により、本考案に係る乾燥機の搬送装置は、搬送管１内の下部に被乾燥物が堆積されたことが例えば電子制御システムによって検出されると、電子制御システムによって駆動部材４１が作動される。駆動部材４１の作動によって可動部材４３が駆動されて往復動される。可動部材４３の往復動によって、ブロック部材４２が揺動して、連通口１５を開閉する。連通口１５が開けられると、キャップ部４２３上に堆積された被乾燥物が連通口１５を介して、ガイド部１６によって案内されながら乾燥室５０に落下される。これによって、被乾燥物が搬送管１内に残存しても堆積しないようにすることができる。従って、搬送管１内を掃除する手間が掛らずに済み、品質が良好である乾燥物が得られる。
このように本考案に係る乾燥機の搬送装置は、搬送管内に残存された籾や麦等の被乾燥物の清掃に手間が要らない搬送装置として有用である。
【符号の説明】
【００１９】
１  搬送管、１０  搬送キャビティ、１１  管壁、１２  通し口、１３  下部、１５  連通口、２  スクリューシャフト、２１  軸部、２２  ブレード、３  駆動機構、４  作動ユニット、４１  駆動部材、４２  ブロック部材、４２１  一側端部、４２２  他側端部、４２３  キャップ部、４２４  パッド部材、４３  可動部材、５  分散機構、５０  乾燥室、６０  貯留室、１００  乾燥機。
【図１】
0003195717.tif 000003
【図２】
0003195717.tif 000004
【図３】
0003195717.tif 000005
【図４】
0003195717.tif 000006